(57)【要約】【課題】低損失でかつ小型化の可能なフィルタを提供すること。【解決手段】本発明は、複数の弾性波フィルタ１２および１４が縦続接続され、複数の弾性波フィルタのうち入力段が第１多重モードフィルタ１２である第１弾性波フィルタ１０と、複数の弾性波フィルタ２２および１４が縦続接続され、入力段が第１多重モードフィルタ１２とは異なる開口長を有する第２多重モードフィルタ２２であり、第１弾性波フィルタ１２と同じ不平衡信号が入力し第１弾性波フィルタ１０とは通過帯域が重ならない第２弾性波フィルタ２０と、を具備するフィルタである。【選択図】図１
2008172543.tif 000002
【特許請求の範囲】
【請求項１】
複数の弾性波フィルタが縦続接続され、前記複数の弾性波フィルタのうち入力段が第１多重モードフィルタである第１弾性波フィルタと、
複数の弾性波フィルタが縦続接続され、入力段が前記第１多重モードフィルタとは異なる開口長を有する第２多重モードフィルタであり、前記第１弾性波フィルタと同じ不平衡信号が入力し前記第１弾性波フィルタとは通過帯域が重ならない第２弾性波フィルタと、を具備することを特徴とするフィルタ。
【請求項２】
前記第１弾性波フィルタおよび前記第２弾性波フィルタの少なくとも一方は平衡出力であることを特徴とする請求項１記載のフィルタ。
【請求項３】
前記平衡出力の２つの出力信号は位相が１８０°異なることを特徴とする請求項２記載のフィルタ。
【請求項４】
前記第１弾性波フィルタの入力と前記第２弾性波フィルタの入力とが接続されたノードを具備することを特徴とする請求項１から３のいずれか一項記載のフィルタ。
【請求項５】
前記ノードと前記不平衡信号が入力する共通端子との間に整合回路を具備する請求項４記載のフィルタ。
【請求項６】
前記整合回路は前記ノードとグランドとの間に接続されたインダクタであることを特徴とする請求項５記載のフィルタ。
【請求項７】
前記第１弾性波フィルタと前記第２弾性波フィルタとを実装するパッケージを具備し、
前記第１弾性波フィルタの入力と前記第２弾性波フィルタの入力とを接続する配線は、前記パッケージに形成されていることを特徴とする請求項４から６のいずれか一項記載のフィルタ。
【請求項８】
前記第１弾性波フィルタと前記第２弾性波フィルタとは同一圧電基板上に形成されていることを特徴とする請求項１から７のいずれか一項記載のフィルタ。
【請求項９】
前記第１弾性波フィルタと前記第２弾性波フィルタとを実装するパッケージを具備し、
前記第１弾性波フィルタおよび前記第２弾性波フィルタの少なくとも一方が形成された圧電基板は、前記パッケージにフリップチップ実装されていることを特徴とする請求項１から８のいずれか一項記載のフィルタ。
【発明の詳細な説明】
【技術分野】
【０００１】
本発明はフィルタに関し、特に並列接続された弾性表面波フィルタを有するフィルタに関する。
【背景技術】
【０００２】
近年、移動体通信システムの発展に伴って携帯電話、携帯情報端末等が急速に普及している。例えば、携帯電話端末においては、８００ＭＨｚ〜１．０ＧＨｚ帯および１．５ＧＨｚ〜２．０ＧＨｚ帯といった高周波帯が使用されている。このような分野においては、弾性表面波フィルタ等の弾性波フィルタが用いられている。弾性波フィルタにおいて広帯域なフィルタが求められている。例えば、携帯電話端末において２つ以上の通信システムの通信帯域をカバーするマルチバンド用弾性波フィルタにおいては、広帯域なフィルタが求められる。
【０００３】
しかしながら、２つ以上の帯域をカバーしかつ低損失なフィルタを実現することは難しい。そこで、複数の弾性波フィルタを並列に接続し、それぞれの弾性波フィルタが各通信システムの帯域をカバーするフィルタが用いられている。
【０００４】
特許文献１には、２つの弾性波フィルタを用いた１入力２不平衡出力のフィルタが開示されている。また、特許文献２には、２つの弾性波フィルタを用いた１入力２平衡出力のフィルタが開示されている。１つの入力に対し並列に接続された２つの弾性波フィルタにおいて、それぞれの弾性波フィルタがそれぞれの通過帯域の信号を通過させ、通過帯域外の信号を遮断するためには、一方の弾性波フィルタが通過帯域となる帯域では他方の弾性波フィルタは高インピーダンスとなることが求められる。
【０００５】
そこで、特許文献１および特許文献２においては、弾性波フィルタと入力（共通端子）との間に直列共振器を挿入することにより、一方の弾性波フィルタの通過帯域において他方の弾性波フィルタは高インピーダンスとなるようにインピーダンスを調整する技術が開示されている。
【特許文献１】特開平１１−６８５１２号公報
【特許文献２】特許３４８０４４５号公報
【発明の開示】
【発明が解決しようとする課題】
【０００６】
しかしながら、直列共振器を挿入すると、直列共振器による挿入損失が生じる。また、小型化の妨げになる。
【０００７】
本発明は、上記課題に鑑み、低損失でかつ小型化の可能なフィルタを提供することを目的とする
【課題を解決するための手段】
【０００８】
本発明は、複数の弾性波フィルタが縦続接続され、前記複数の弾性波フィルタのうち入力段が第１多重モードフィルタである第１弾性波フィルタと、複数の弾性波フィルタが縦続接続され、入力段が前記第１多重モードフィルタとは異なる開口長を有する第２多重モードフィルタであり、前記第１弾性波フィルタと同じ不平衡信号が入力し前記第１弾性波フィルタとは通過帯域が重ならない第２弾性波フィルタと、を具備することを特徴とするフィルタである。本発明によれば、２つの多重モードフィルタの開口長を調整することにより、簡単にインピーダンスをマッチングさせることができる。さらに、直列共振子が不要となり低損失、小型化が可能となる。
【０００９】
上記構成において、前記第１弾性波フィルタおよび前記第２弾性波フィルタの少なくとも一方は平衡出力である構成とすることができる。また、上記構成において、前記平衡出力の２つの出力信号は位相が１８０°異なる構成とすることができる。
【００１０】
上記構成において、前記第１弾性波フィルタの入力と前記第２弾性波フィルタの入力とが接続されたノードを具備する構成とすることができる。
【００１１】
上記構成において、前記ノードと前記不平衡信号が入力する共通端子との間に整合回路を具備する構成とすることができる。
【００１２】
上記構成において、前記整合回路は前記ノードとグランドとの間に接続されたインダクタである構成とすることができる。この構成によれば、簡単に整合回路を構成することができる。
【００１３】
上記構成において、前記第１弾性波フィルタと前記第２弾性波フィルタとを実装するパッケージを具備し、前記第１弾性波フィルタの入力と前記第２弾性波フィルタの入力とを接続する配線は、前記パッケージに形成されている構成とすることができる。
【００１４】
上記構成において、前記第１弾性波フィルタと前記第２弾性波フィルタとは同一圧電基板上に形成されている構成とすることができる。この構成によれば、実装面積を削減することができる。
【００１５】
上記構成において、前記第１弾性波フィルタと前記第２弾性波フィルタとを実装するパッケージを具備し、前記第１弾性波フィルタおよび前記第２弾性波フィルタの少なくとも一方が形成された圧電基板は、前記パッケージにフリップチップ実装されている構成とすることができる。この構成によれば、実装面積を削減することができる。
【発明の効果】
【００１６】
本発明によれば、２つの多重モードフィルタの開口長を調整することにより、簡単にインピーダンスをマッチングさせることができる。さらに、直列共振子が不要となり低損失、小型化が可能となる。
【発明を実施するための最良の形態】
【００１７】
以下、図面を参照に本発明の実施例について説明する。
【実施例１】
【００１８】
図１は実施例１の平面模式図である。なお、図１においては、各ＩＤＴおよび反射器の電極指の数を省略して少なく示している。以下の図面においても同様である。図１を参照に、実施例１に係るフィルタは、第１弾性波フィルタ１０および第２弾性波フィルタ２０を有している。第１弾性波フィルタ１０は、不平衡入力端子Ｉｎ（共通端子）に入力した信号を平衡出力端子Ｏｕｔ１１およびＯｕｔ１２に出力する。また、第２弾性波フィルタ２０は、第１弾性波フィルタ１０と共通の入力端子Ｉｎに入力した信号を平衡出力端子Ｏｕｔ２１およびＯｕｔ２２に出力する。
【００１９】
第１弾性波フィルタ１０は、入力段の第１多重モードフィルタ１２と出力段の多重モードフィルタ１４とが縦続接続されている。第１多重モードフィルタ１２は、入力ＩＤＴ（Ｉｎｔｅｒｄｉｇｉｔａｌ  Ｔｒａｎｓｄｕｃｅｒ）１７の両側に２つの出力ＩＤＴ１６、出力ＩＤＴ１６の両側にそれぞれ反射器Ｒ１２が配置されている。入力ＩＤＴ１７には入力端子Ｉｎから入力信号が入力し、出力ＩＤＴ１６から多重モードフィルタ１４に信号が出力される。多重モードフィルタ１４は、出力ＩＤＴ１９の両側に２つの入力ＩＤＴ１８および１８ａ、入力ＩＤＴ１８および１８ａの外側にそれぞれ反射器Ｒ１４が配置されている。第１多重モードフィルタ１２の２つの出力はそれぞれ多重モードフィルタ１４の２つの入力ＩＤＴ１８およびＩＤＴ１８ａに入力する。多重モードフィルタ１４の入力ＩＤＴ１８とＩＤＴ１８ａとは電極指の配置が異なる。これにより、出力ＩＤＴ１９からは１８０°位相の異なる２つの平衡出力信号が、出力端子Ｏｕｔ１１およびＯｕｔ１２に出力される。
【００２０】
第２弾性波フィルタ２０は入力段の第２多重モードフィルタ２２および出力段の多重モードフィルタ２４が縦続接続されている。２つの多重モードフィルタ２２および２４の構成はそれぞれ多重モードフィルタ１２および１４と同様であり説明を省略する。第１多重モードフィルタ１２の開口長Ｌ１と第２多重モードフィルタ２２の開口長Ｌ２とは異なっている。開口長とは、ＩＤＴ内の上下の電極指が重なる長さである。
【００２１】
第１弾性波フィルタ１０および第２弾性波フィルタ２０は同一の圧電基板５０上に設けられており、各ＩＤＴ１６からＩＤＴ２９並びに反射器Ｒ１２からＲ２４は圧電基板５０上に形成された金属膜からなる。
【００２２】
実施例１に係るフィルタにおける第１多重モードフィルタ１２の開口長Ｌ１と第２多重モードフィルタ２２の開口長Ｌ２との関係について説明する。図２は実施例１に係るフィルタの入力端子Ｉｎを共通とする前のブロック図である。すなわち、第１弾性波フィルタ１０は不平衡入力端子Ｉｎ１と平衡出力端子Ｏｕｔ１１およびＯｕｔ１２とを有している。同様に、第２弾性波フィルタ２０は不平衡入力端子Ｉｎ２と平衡出力端子Ｏｕｔ２１およびＯｕｔ２２とを有している。
【００２３】
図３は、第１弾性波フィルタ１０および第２弾性波フィルタ２０の入力側インピーダンスのスミスチャートである。Ｆ１およびＦ２はそれぞれ第１弾性波フィルタ１０および第２弾性波フィルタ２０の入力側信号を示している。入力側信号Ｆ１のうち第２弾性波フィルタ２０の通過帯域をＢＷ２、入力側信号Ｆ２のうち第１弾性波フィルタ１０の通過帯域をＢＷ１で示している。通過帯域ＢＷ１の周波数と通過帯域ＢＷ２の周波数とは重なっていない。このため、仮に第１弾性波フィルタ１０と第２弾性波フィルタ２０との入力インピーダンス（特にリアクタンス成分）がほぼ同じであれば、信号Ｆ１のうち帯域ＢＷ２の位相と信号Ｆ２のうち帯域ＢＷ１の位相とは異なってしまう。実施例１によれば、第１弾性波フィルタ１０と第２弾性波フィルタ２０との第１多重モードフィルタ１２の開口長Ｌ１と第２多重モードフィルタ２２の開口長Ｌ２とを調整することにより、入力側信号Ｆ１のうち帯域ＢＷ２の位相と入力側信号Ｆ２のうち帯域ＢＷ１の位相とがほぼ重なっている。すなわち、開口長Ｌ１とＬ２とが異なることにより、第１弾性波フィルタ１０と第２弾性波フィルタ２０とのリアクタンス成分（特に容量成分）を異ならせる。これにより、信号Ｆ１とＦ２との位相を調整することができる。
【００２４】
図４を参照に、フィルタ１００は、第１弾性波フィルタ１０の入力端子Ｉｎ１と第２弾性波フィルタ２０の入力端子Ｉｎ２とが接続されたノードＮ１を有する。ノードＮ１は共通の入力端子Ｉｎに接続されている。さらに、フィルタ１００は、入力端子Ｉｎと並列に接続された整合回路であるインダクタＬ０を有する。これにより、フィルタ１００において、入力端子Ｉｎに入力した１つの入力信号のうち第１弾性波フィルタ１０の通過帯域ＢＷ１の信号を出力端子Ｏｕｔ１１およびＯｕｔ１２に出力し、第２弾性波フィルタ２０の通過帯域ＢＷ２の信号を出力端子Ｏｕｔ２１およびＯｕｔ２２に出力することができる。
【００２５】
図５（ａ）および図５（ｂ）は、フィルタ１００の入力端子Ｉｎにそれぞれ帯域ＢＷ１および帯域ＢＷ２の信号が入力したときの等価回路である。図５（ａ）を参照に、第１弾性波フィルタ１０の通過帯域ＢＷ１の信号に対し、第２弾性波フィルタ２０の等価回路は並列に接続された容量Ｃ２である。図５（ｂ）を参照に、第２弾性波フィルタ２０の通過帯域ＢＷ２の信号に対し、第１弾性波フィルタ１０の等価回路は並列に接続された容量Ｃ１である。
【００２６】
図６はフィルタ１００の入力端子Ｉｎから見た第１弾性波フィルタ１０および第２弾性波フィルタ２０の入力側インピーダンスを示すスミスチャートである。入力端子Ｉｎに並列に接続されたインダクタＬ０により、容量Ｃ１またはＣ２による容量成分を打ち消し、信号Ｆ１の帯域ＢＷ２と信号Ｆ２の帯域ＢＷ１との位相をほぼ０°とすることができる。図３において、信号Ｆ１の帯域ＢＷ２および信号Ｆ２の帯域ＢＷ１の位相は重なっているため、図６において、信号Ｆ１の帯域ＢＷ２および信号Ｆ２の帯域ＢＷ１の位相は重なった状態でともに位相をほぼ０°にすることができる。
【００２７】
図７はフィルタ１００の入力端子Ｉｎに第１弾性波フィルタ１０の通過帯域ＢＷ１の信号を入力した場合の模式図である。図８（ａ）および図８（ｂ）は、図５（ａ）および図５（ｂ）の回路において、入力端子Ｉｎから見たそれぞれ第１弾性波フィルタ１０および第２弾性波フィルタ２０の入力側インピーダンスのスミスチャートである。図８（ａ）を参照に、信号Ｆ１の帯域ＢＷ１の信号はスミスチャートの中心近傍にある。すなわち、第１弾性波フィルタ１０の反射係数はほぼ０でありインピーダンスマッチングされた状態である。図８（ｂ）を参照に、信号Ｆ２の帯域ＢＷ１の信号は位相がほぼ０°であり、スミスチャートの周辺に位置している。つまり、第２弾性波フィルタ２０は高インピーダンス状態である。このため、図７のように、帯域ＢＷ１の信号は、第１弾性波フィルタ１０を通過し、第２弾性波フィルタ２０では遮断される。これにより、帯域ＢＷ１の信号は第２弾性波フィルタ２０から漏洩しないため、第１弾性波フィルタ１０の挿入損失を向上させることができる。
【００２８】
図９はフィルタ１００の入力端子Ｉｎに第２弾性波フィルタ２０の通過帯域ＢＷ２の信号を入力した場合の模式図である。図１０（ａ）および図１０（ｂ）は、図５（ａ）および図５（ｂ）の回路において、入力端子Ｉｎから見たそれぞれ第１弾性波フィルタ１０および第２弾性波フィルタ２０の入力側インピーダンスのスミスチャートである。図１０（ａ）および図１０（ｂ）を参照に、帯域ＢＷ２では、第１弾性波フィルタ１０は高インピーダンス状態であり、第２弾性波フィルタ２０はインピーダンスマッチングされた状態である。よって、図９のように、帯域ＢＷ２の信号は、第２弾性波フィルタ２０を通過し、第１弾性波フィルタ１０では遮断される。
【００２９】
実施例１によれば、図１のように、同じ不平衡信号が入力し、通過帯域が重ならない第１弾性波フィルタ１０および第２弾性波フィルタ２０において、それぞれ初段の第１多重モードフィルタ１２の開口長Ｌ１と第２多重モードフィルタ２２の開口長Ｌ２とが異なっている。これにより、開口長Ｌ１とＬ２とを調整することにより、図３のように、信号Ｆ１の帯域ＢＷ２の位相と信号Ｆ２の帯域ＢＷ１の位相とを重ねることができる。よって、図６のように、整合回路としてインダクタＬ０を接続した際に、信号Ｆ１の帯域ＢＷ２と信号Ｆ２の帯域ＢＷ１との位相をともにほぼ同じ位相のまま簡単にインピーダンスをマッチングさせることができる。さらに、特許文献１および特許文献２のように、直列共振子が不要なため低損失、小型化が可能となる。
【００３０】
図１１は、フィルタ１００において、第１弾性波フィルタ１０の入力側信号Ｆ１の帯域ＢＷ２の位相に対する第２弾性波フィルタ２０の挿入損失の計算値を示す図である。図１１を参照に、信号Ｆ１の帯域ＢＷ２の位相は０°であるとき挿入損失は最も小さい。つまり、第１弾性波フィルタ１０の通過帯域ＢＷ１の信号は、第２弾性波フィルタ２０から最も漏洩しない。信号Ｆ１の帯域ＢＷ２の位相が０°から離れると、挿入損失は大きくなる。信号Ｆ１の帯域ＢＷ２の位相が０°の挿入損失に対し挿入損失の劣化を−０．２ｄＢ以下に抑えるためには、信号Ｆ１の帯域ＢＷ２の位相は−１２０°以上１２０°以下が好ましい。さらに、挿入損失の劣化を−０．１ｄＢ以下に抑えるためには、信号Ｆ１の帯域ＢＷ２の位相は−１００°以上１００°以下がより好ましい。信号Ｆ２の帯域ＢＷ１の位相についても同様である。
【００３１】
図１２はフィルタ１００において、第１弾性波フィルタ１０の入力側信号Ｆ１の帯域ＢＷ２の反射係数Γに対する第２弾性波フィルタ２０の挿入損失の計算値を示す図である。反射係数Γが大きいと挿入損失は小さくなる。反射係数は０．７５以上が好ましく、０．８以上がより好ましい。信号Ｆ２の帯域ＢＷ１の反射係数についても同様である。
【００３２】
図６のように、インダクタＬ０を接続した際に、信号Ｆ１の帯域ＢＷ２と信号Ｆ２の帯域ＢＷ１との位相をともにほぼ同じ位相のまま簡単にインピーダンスをマッチングさせるためには、信号Ｆ１の帯域ＢＷ２の位相と信号Ｆ２の帯域ＢＷ１の位相とは少なくとも一部が重なっていればよい。また、信号Ｆ１の帯域ＢＷ２と信号Ｆ２の帯域ＢＷ１との一方の位相は他方の位相と全て重なっていることがより好ましい。
【００３３】
図１３のように、第１弾性波フィルタ１０の入力端子Ｉｎ１と第２弾性波フィルタ２０の入力端子Ｉｎ２とが接続されたノードＮ１と入力端子Ｉｎ（共通端子）との間に整合回路３１を有していることが好ましい。整合回路３１としては、図３から図６のように、帯域ＢＷ１および帯域ＢＷ２の位相を変換する機能を有していればよい。しかしながら、図５（ａ）および図５（ｂ）のように、入力端子Ｉｎとグランドとの間に等価的に接続される容量Ｃ１およびＣ２の成分を打ち消すためには、整合回路３１はインダクタンス成分であることが好ましい。よって、図４のように、整合回路３１はノードＮ１とグランドとの間に接続されたインダクタＬ０であることが好ましい。
【００３４】
第１弾性波フィルタ１０と第２弾性波フィルタ２０とは別の圧電基板上に設けられていてもよいが、図１のように、第１弾性波フィルタ１０と第２弾性波フィルタ２０とは同一圧電基板５０上に形成されていることが好ましい。これにより、実装面積を削減することができる。圧電基板５０としては、ニオブ酸リチウムやタンタル酸リチウムを用いることができる。
【００３５】
図１４は実施例１に係るフィルタ１００の断面模式図、図１５はフィルタ１００の模式図である。図１４を参照に、フィルタ１００は、第１弾性波フィルタ１０および第２弾性波フィルタ２０が形成された圧電基板５０、パッケージ５１からなる。パッケージ５１はパッケージ基板５２と外装部５４とからなる。圧電基板５０はバンプ５８を用いパッケージ基板５２にフリップチップ実装されている。圧電基板５０は外装部５４により覆われている。このように、第１弾性波フィルタ１０および第２弾性波フィルタ２０はパッケージ５１に実装されている。
【００３６】
図１５を参照に、圧電基板５０に形成された第１弾性波フィルタ１０および第２弾性波フィルタ２０のそれぞれの入力端子Ｉｎ１およびＩｎ２はパッケージ５１に接続される。パッケージ５１内では入力端子Ｉｎ１とＩｎ２とが入力端子Ｉｎに配線５９で接続されている。図１４を参照に、入力端子Ｉｎ１およびＩｎ２とパッケージ５１とはバンプ５８を介し接続される。入力端子Ｉｎ１およびＩｎ２と入力端子Ｉｎとを接続する配線５９は、パッケージ基板５２上に金属膜で形成される。
【００３７】
第１弾性波フィルタ１０および第２弾性波フィルタ２０はパッケージにフェースアップで実装されていてもよいが、図１４のように、第１弾性波フィルタ１０および第２弾性波フィルタ２０の少なくとも一方はパッケージ５１にフリップチップ実装されていることが好ましい。さらに、第１弾性波フィルタ１０および第２弾性波フィルタ２０の両方がパッケージ５１にフリップチップ実装されていることが一層好ましい。これにより実装面積を削減することができる。
【００３８】
実施例１においては、図１５のように、第１弾性波フィルタ１０の入力端子Ｉｎ１と第２弾性波フィルタ２０の入力端子Ｉｎ２とを接続する配線５９は、パッケージ５１に形成されている。また、入力端子Ｉｎ、出力端子Ｏｕｔ１１からＯｕｔ２２はパッケージ５１に設けられたフットパッド、入力端子Ｉｎ１およびＩｎ２は圧電基板５０に設けられたパッドである。しかしながら、入力端子Ｉｎおよび出力端子Ｏｕｔ１１からＯｕｔ２２は圧電基板５０上に設けられたパッドであってもよい。つまり、入力端子Ｉｎ１およびＩｎ２と入力端子Ｉｎとを接続する配線は圧電基板５０に形成されていてもよい。
【実施例２】
【００３９】
図１６は実施例２に係るフィルタの平面模式図である。実施例１の図１と比較し、第１弾性波フィルタ１０ｂにおいて、第１多重モードフィルタ１２ｂの出力ＩＤＴ１６とＩＤＴ１６ａの電極指の配置が異なる。一方、多重モードフィルタ１４ｂの２つの入力ＩＤＴ１８の電極指の配置は同じである。第２弾性波フィルタ２０ｂにおいても同様である。実施例２においても、出力端子Ｏｕｔ１１およびＯｕｔ１２には平衡出力信号が出力される。
【実施例３】
【００４０】
実施例１および実施例２においては、第１弾性波フィルタ１０および第２弾性波フィルタ２０の両方が平衡出力する場合を例に説明した。図１７（ａ）のように、第１弾性波フィルタ１０は出力端子Ｏｕｔ１１およびＯｕｔ１２に平衡出力し、第２弾性波フィルタ２０ａは出力端子Ｏｕｔ２に不平衡出力してもよい。また、図１７（ｂ）のように、第１弾性波フィルタ１０ａは出力端子Ｏｕｔ２に不平衡出力し、第２弾性波フィルタ２０は出力端子Ｏｕｔ２１およびＯｕｔ２１に平衡出力してもよい。さらに、図１７（ｃ）のように、第１弾性波フィルタ１０ａおよび第２弾性波フィルタ２０ａはそれぞれ出力端子Ｏｕｔ１およびＯｕｔ２に不平衡出力してもよい。
【００４１】
図１８から図２０は、平衡出力する第１弾性波フィルタ１０および第２弾性波フィルタ２０の例である。
【００４２】
図１８を参照に、弾性波フィルタ１０ｃは、５つのＩＤＴを有する多重モードフィルタ１２ｃと５つのＩＤＴを有する多重モードフィルタ１４ｃとが縦列接続されている。多重モードフィルタ１２ｃは２つの入力ＩＤＴ３１と３つの出力ＩＤＴ３０および３２とを有している。多重モードフィルタ１４ｃは３つの入力ＩＤＴ３３、３３ａおよび３５と２つの出力ＩＤＴ３４とを有している。多重モードフィルタ１２ｃの入力ＩＤＴ３１には入力端子Ｉｎ１が接続されている。多重モードフィルタ１２ｃの３つの出力ＩＤＴ３０および３２と多重モードフィルタ１４ｃの３つの入力ＩＤＴ３３、３３ａおよび３５とがそれぞれ接続されている。多重モードフィルタ１４ｃの２つの出力ＩＤＴ３４はそれぞれ平衡出力端子Ｏｕｔ１１およびＯｕｔ１２に接続されている。
【００４３】
図１９を参照に、弾性波フィルタ１０ｄは、３つのＩＤＴを有する多重モードフィルタ１２ｄと５つのＩＤＴを有する多重モードフィルタ１４ｄとが縦列接続されている。多重モードフィルタ１２ｄは実施例２の図１６の多重モードフィルタ１２ｂと同じであり説明を省略する。多重モードフィルタ１４ｄは２つの入力ＩＤＴ３７と３つの出力ＩＤＴ３６および３８とを有している。多重モードフィルタ１２ｄの入力ＩＤＴ１７には入力端子Ｉｎ１が接続されている。多重モードフィルタ１２ｄの２つの出力ＩＤＴ１６と多重モードフィルタ１４ｄの２つの入力ＩＤＴ３７とがそれぞれ接続されている。多重モードフィルタ１４ｄの出力ＩＤＴ３６および３８はそれぞれ平衡出力端子Ｏｕｔ１１およびＯｕｔ１２に接続されている。
【００４４】
図２０を参照に、弾性波フィルタ１０ｆは、２つの弾性波フィルタ１０ｅが入力端子Ｉｎ１に並列に接続されている。各弾性波フィルタ１０ｅは、３つのＩＤＴを有する多重モードフィルタ１２ｅまたは１２ｆと３つのＩＤＴを有する多重モードフィルタ１４ｅとが縦列接続されている。多重モードフィルタ１２ｅおよび１２ｆはそれぞれ１つの入力ＩＤＴ４２および４２ａと２つの出力ＩＤＴ４１とを有する。多重モードフィルタ１４ｅは２つの入力ＩＤＴ４３と１つの出力ＩＤＴ４４とを有している。多重モードフィルタ１２ｅの入力ＩＤＴ４２および４２ａには入力端子Ｉｎ１が接続されている。多重モードフィルタ１２ｅの２つの出力ＩＤＴ４１と多重モードフィルタ１４ｅの２つの入力ＩＤＴ４３とがそれぞれ接続されている。多重モードフィルタ１４ｅのそれぞれの出力ＩＤＴ４４はそれぞれ平衡出力端子Ｏｕｔ１１およびＯｕｔ１２に接続されている。
【００４５】
図２１から図２４は、不平衡出力する第１弾性波フィルタ１０ａおよび第２弾性波フィルタ２０ａの例である。
【００４６】
図２１を参照に、弾性波フィルタ１０ｇは、３つのＩＤＴを有する多重モードフィルタ１２ｇと３つのＩＤＴを有する多重モードフィルタ１４ｇとが縦列接続されている。多重モードフィルタ１２ｇおよび多重モードフィルタ１４ｇは図２０に図示したそれぞれ多重モードフィルタ１２ｅおよび多重モードフィルタ１４ｅと同じ構成であり説明を省略する。多重モードフィルタ１２ｇの入力ＩＤＴ４２は不平衡入力端子Ｉｎ１に接続され、多重モードフィルタ１４ｇの出力ＩＤＴ４４は不平衡出力端子Ｏｕｔ１に接続されている。
【００４７】
図２２を参照に、弾性波フィルタ１０ｈは、５つのＩＤＴを有する多重モードフィルタ１２ｈと５つのＩＤＴを有する多重モードフィルタ１４ｈとが縦列接続されている。多重モードフィルタ１２ｈは図１８に図示した多重モードフィルタ１２ｃと同じ構成であり説明を省略する。多重モードフィルタ１４ｈは３つの入力ＩＤＴ３３および３５ａと２つの出力ＩＤＴ３４とを有している。多重モードフィルタ１２ｈの入力ＩＤＴ３１は不平衡入力端子Ｉｎ１に接続されている。多重モードフィルタ１２ｈの３つの出力ＩＤＴ３０および３２はそれぞれ多重モードフィルタ１４ｈの３つの入力ＩＤＴ３３および３５ａに接続されている。多重モードフィルタ１４ｈの出力ＩＤＴ３４は不平衡出力端子Ｏｕｔ１に接続されている。
【００４８】
図２３を参照に、弾性波フィルタ１０ｉは、３つのＩＤＴを有する多重モードフィルタ１２ｉと５つのＩＤＴを有する多重モードフィルタ１４ｉとが縦列接続されている。多重モードフィルタ１２ｉは実施例１の図１に図示した第１多重モードフィルタと同じ構成であり説明を省略する。多重モードフィルタ１４ｉは図２２に図示した多重モードフィルタ１４ｈと同じ構成であり説明を省略する。多重モードフィルタ１２ｉの１つの入力ＩＤＴ１７は不平衡入力端子Ｉｎ１に接続されている。多重モードフィルタ１２ｉの２つの出力ＩＤＴ１６は共通に接続され多重モードフィルタ１４ｉの３つの入力ＩＤＴ３３および３５ａに接続されている。多重モードフィルタ１４ｉの出力ＩＤＴ３４は不平衡出力端子Ｏｕｔ１に接続されている。
【００４９】
図２４を参照に、弾性波フィルタ１０ｋは、２つの多重モードフィルタ１０ｊが並列に接続されている。各多重モードフィルタ１０ｊは、３つのＩＤＴを有する多重モードフィルタ１２ｊと３つのＩＤＴを有する多重モードフィルタ１４ｊとが縦列接続されている。各多重モードフィルタ１２ｊは１つの入力ＩＤＴ４２と２つの出力ＩＤＴ４１とを有する。各多重モードフィルタ１４ｊは２つの入力ＩＤＴ４３と１つの出力ＩＤＴ４４とを有する。各多重モードフィルタ１２ｊの入力ＩＤＴ４２は不平衡入力端子Ｉｎ１に接続されている。各多重モードフィルタ１２ｉの２つの出力ＩＤＴ４１はそれぞれ各多重モードフィルタ１４ｊの２つの入力ＩＤＴ４３に接続されている。各多重モードフィルタ１４ｊの出力ＩＤＴ４４は不平衡出力端子Ｏｕｔ１に接続されている。
【００５０】
図１８から図２０に示したフィルタは図２、図１７（ａ）および図1７（ｂ）の平衡出力する第１弾性波フィルタ１０および第２弾性波フィルタ２０に用いることができる。このように、第１弾性波フィルタ１０および前記第２弾性波フィルタ２０の少なくとも一方は平衡出力である構成とすることができる。２つの平衡出力の出力信号は位相が１８０°異なっている。また、図２１から図２４に示したフィルタは図１７（ａ）から図1７（ｃ）の不平衡出力する第１弾性波フィルタ１０ａおよび第２弾性波フィルタ２０ａに用いることができる。このように、第１弾性波フィルタ１０ａおよび前記第２弾性波フィルタ２０ａの少なくとも一方は不平衡出力である構成とすることができる。
【００５１】
出力が不平衡出力の場合も平衡出力の場合も、第１弾性波フィルタ１０の初段の第１多重モードフィルタ１２の開口長Ｌ１と第２弾性波フィルタ２０の初段の第２多重モードフィルタ１４の開口長Ｌ２とを異ならせることにより、図３のように、信号Ｆ１の帯域ＢＷ２の位相と信号Ｆ２の帯域ＢＷ１の位相とを重ねることができる。
【００５２】
第１弾性波フィルタ１０、１０ａおよび第２弾性波フィルタ２０、２０ａはそれぞれ図２０および図２４のように複数の弾性波フィルタが並列接続されていてもよい。また、第１弾性波フィルタ１０、１０ａおよび第２弾性波フィルタ２０、２０ａは、複数の弾性波フィルタが縦続接続され、複数の弾性波フィルタのうち入力段が多重モードフィルタであればよい。
【００５３】
さらに、第１弾性波フィルタ１０および第２弾性波フィルタ２０の２つの弾性波フィルタが並列に接続する例であったが、３以上の複数の弾性波フィルタが並列に接続されていてもよい。３以上の複数の弾性波フィルタが並列接続された場合は、複数の弾性波フィルタのうち少なくとも２つの弾性波フィルタの初段の多重モードフィルタの開口長が異なっていればよい。弾性波フィルタとしては、弾性表面波フィルタまたは弾性境界波フィルタを用いることができる。
【００５４】
以上、本発明の実施例について詳述したが、本発明は係る特定の実施例に限定されるものではなく、特許請求の範囲に記載された本発明の要旨の範囲内において、種々の変形・変更が可能である。
【図面の簡単な説明】
【００５５】
【図１】図１は実施例１に係るフィルタの平面模式図である。
【図２】図２は実施例１に係るフィルタの入力端子を共通とする前のブロック図である。
【図３】図３は、第１弾性波フィルタおよび第２弾性波フィルタの入力側インピーダンスのスミスチャートである。
【図４】図４は実施例１に係るフィルタのブロック図である。
【図５】図５（ａ）および図５（ｂ）は実施例１に係るフィルタの等価回路である。
【図６】図６は実施例１に係るフィルタを入力端子からみたとき第１弾性波フィルタおよび第２弾性波フィルタのＳ１１のスミスチャートである。
【図７】図７は第１弾性波フィルタを通過する周波数帯域の信号が入力した場合を示す図である。
【図８】図８（ａ）および図８（ｂ）は入力端子からみたときのそれぞれ第１弾性波フィルタおよび第２弾性波フィルタのＳ１１のスミスチャートである。
【図９】図９は第２弾性波フィルタを通過する周波数帯域の信号が入力した場合を示す図である。
【図１０】図１０（ａ）および図１０（ｂ）は入力端子からみたときのそれぞれ第１弾性波フィルタおよび第２弾性波フィルタのＳ１１のスミスチャートである。
【図１１】図１１は第２弾性波フィルタの通過帯域の位相に対する第２弾性波フィルタの挿入損失を示す図である。
【図１２】図１２は第２弾性波フィルタの通過帯域の反射係数に対する第２弾性波フィルタの挿入損失を示す図である。
【図１３】図１３は整合回路を有する例のブロック図である。
【図１４】図１４は実施例１に係るフィルタの断面模式図である。
【図１５】図１５はフィルタの模式図である。
【図１６】図１６は実施例２に係るフィルタの平面模式図である。
【図１７】図１７（ａ）から図１７（ｃ）はフィルタが不平衡出力を有する例である。
【図１８】図１８は平衡出力する弾性波フィルタの例（その１）である。
【図１９】図１９は平衡出力する弾性波フィルタの例（その２）である。
【図２０】図２０は平衡出力する弾性波フィルタの例（その３）である。
【図２１】図２１は不平衡出力する弾性波フィルタの例（その１）である。
【図２２】図２２は不平衡出力する弾性波フィルタの例（その２）である。
【図２３】図２３は不平衡出力する弾性波フィルタの例（その３）である。
【図２４】図２４は不平衡出力する弾性波フィルタの例（その４）である。
【符号の説明】
【００５６】
１０、１０ａ      第１弾性波フィルタ
１２              第１多重モードフィルタ
１４              多重モードフィルタ
２０、２０ａ      第２弾性波フィルタ
２２              第２多重モードフィルタ
２４              多重モードフィルタ
３２              整合回路
４０              パッケージ
４９              配線
Ｉｎ              入力端子
Ｏｕｔ１１、Ｏｕｔ１２  出力端子
Ｏｕｔ２１、Ｏｕｔ２２  出力端子
Ｌ０              インダクタ
Ｎ１              ノード
【図１】
2008172543.tif 000003
【図２】
2008172543.tif 000004
【図３】
2008172543.tif 000005
【図４】
2008172543.tif 000006
【図５】
2008172543.tif 000007
【図６】
2008172543.tif 000008
【図７】
2008172543.tif 000009
【図８】
2008172543.tif 000010
【図９】
2008172543.tif 000011
【図１０】
2008172543.tif 000012
【図１１】
2008172543.tif 000013
【図１２】
2008172543.tif 000014
【図１３】
2008172543.tif 000015
【図１４】
2008172543.tif 000016
【図１５】
2008172543.tif 000017
【図１６】
2008172543.tif 000018
【図１７】
2008172543.tif 000019
【図１８】
2008172543.tif 000020
【図１９】
2008172543.tif 000021
【図２０】
2008172543.tif 000022
【図２１】
2008172543.tif 000023
【図２２】
2008172543.tif 000024
【図２３】
2008172543.tif 000025
【図２４】
2008172543.tif 000026